(57)【特許請求の範囲】
【請求項１】
絶縁ハウジング（２）および該絶縁ハウジング（２）の内部に少なくとも１つのばね端子を有する電気コネクタ（１）であって、前記少なくとも１つのばね端子はケージスプリング（３）を有し、該ケージスプリング（３）は、導電レール部（４）に載置された当接脚部（５）と、該当接脚部（５）に接続し、戻り方向に湾曲したばねアーチ（６）と、操作脚部（７）とを備え、該操作脚部（７）は、前記導電レール部（４）の方向に湾曲されたクランプ部に窓切欠き（８）を有し、該窓切欠き（８）を介して、前記導電レール部（４）が貫通案内されており、前記窓切欠き（８）の下側の横方向ウェブ（９）は、該横方向ウェブ（９）と前記導電レール部（４）との間に電気導体（２３）をクランプするためのクランプ箇所を形成しており、舌片（１６）が、前記操作脚部（７）から前方へ、戻り方向に湾曲した前記ばねアーチ（６）と反対方向に外方に向けて突出している電気コネクタにおいて、
それぞれのばね端子が操作レバー（１２）を有し、該操作レバー（１２）が前記ケージスプリング（３）における前記操作脚部（７）のクランプ部の前方で、前記舌片（１６）に隣接して旋回可能に支承されており、前記舌片（１６）に載置するために設けた支持部（１８）を備えており、
前記操作レバー（１２）が側方に突出した支承ピン（２５ａ，２５ｂ）によって前記絶縁材ハウジング（２）の対応した支承凹部で旋回可能に支承されており、
前記操作レバー（１２）はプラスチック材料から一体的に成形されており、レバーアーム（１４）と、前記操作アーム（１２）の操作端部（２４）の領域に、前記レバーアーム（１４）の下面により部分的に包囲された支承軸（１３）を有し、前記レバーアーム（１４）の側面から突出した前記支承軸（１３）の端部は、側方に突出した前記支承ピン（２５ａ，２５ｂ）を形成しており、前記レバーアーム（１４）の下方で、前記支承軸（１３）の内部に、前記ケージスプリング（３）の前記舌片（１６）を収容するための自由空間（１７）が設けられている、電気コネクタ。
【請求項２】
請求項１に記載の電気コネクタ（１）において、
前記舌片（１６）が、該舌片（１６）に接続し、前記操作脚部（７）における前記ばねアーチ（６）の方向に延在する部分と共通の平面に延在し、前記操作脚部（７）における前記窓切欠き（８）を設けた部分が前記平面から前記導電レール部（４）の方向に折り曲げられている、電気コネクタ。
【請求項３】
請求項１または２に記載の電気コネクタ（１）において、
前記舌片（１６）のための前記支持部（１８）は、前記操作レバー（１２）の下面で湾曲部分（１９）に移行し、該湾曲部分（１９）は、前記操作レバー（１２）の操作端部（２４）から前記操作レバー（１２）における操作端部（２４）に隣接する上面まで延在している、電気コネクタ。
【請求項４】
複数のばね端子を有する差込みコネクタの形態で構成された請求項１から３までのいずれか一項に記載の電気コネクタ（１）において、
それぞれのばね端子は固有の導電レールを有し、該導電レールは、前記絶縁ハウジング（２）におけるそれぞれのばね端子に通じる導体挿入開口（１１）に向いていない側に、対向差込みコネクタのための差込み接続部（２０）または導体プレートのためのはんだ付け接続部を有している、電気コネクタ。
【請求項５】
複数のばね端子を備える請求項１から３までのいずれか一項に記載の電気コネクタ（１）において、
前記複数のばね端子が共通の導電レールを有し、該導電レールに、ばね端子のための前記導電レール部（４）が形成されている、電気コネクタ。
【発明の詳細な説明】
【技術分野】
【０００１】
本発明は、絶縁ハウジングおよび絶縁ハウジング内に少なくとも１つのばね端子を有する電気コネクタであって、少なくとも１つのばね端子はケージスプリングを有し、このケージスプリングは、導電レール部に載置された当接脚部と、当接脚部に接続し、戻り方向に湾曲したばねアーチと、操作脚部とを備え、操作脚部は、導電レール部の方向に湾曲されたクランプ部に窓切欠きを有し、この窓切欠きを介して、導電レール部が貫通案内されており、ばね切欠きの下側の横方向ウェブは、横方向ウェブと導電レール部との間に電気導体をクランプするためのクランプ箇所を形成しており、舌片が、操作脚部から前方へ、戻り方向に湾曲したばねアーチと反対方向に外方に向けて突出している電気コネクタに関する。
【背景技術】
【０００２】
ばね端子のための操作レバーを有するこのような電気コネクタは多様な形態で既知である。
【０００３】
ドイツ国特許出願公開第１０２００８０１７７３８号明細書は、絶縁材ハウジング内で旋回可能に支承された操作レバーによって開放することのできるケージスプリングを有する電気コネクタを開示している。この場合、操作レバーはケージスプリングの上方に配置されており、操作レバーが旋回された場合に、ほぼ支承ピンの高さから自由端まで操作レバーの下面に延在する接触面によってケージスプリングのスプリング背面に載置される。これにより、ケージ背面は下方に押圧され、ケージスプリングが開放される。
【０００４】
ドイツ国実用新案第２０２００７００１７０１号明細書は、切欠き部を備え、切欠き部を通って導電レールの舌片が突出している脚ばねを有する電気コネクタを開示している。切欠き部の下縁は導電レールと共に電気導体のためのクランプ箇所を形成しており、電気導体は、導体挿入開口から切欠き部を介して絶縁材ハウジング内へ差し込むことができる。脚ばねの上方には操作レバーが旋回可能に配置されており、脚ばねは、切欠き部を制限する上側のエッジを脚ばねの自由端部で負荷する。クランプ脚部の端部に対して作用する操作レバーを旋回させた場合、クランプ箇所が開放される。
【０００５】
ドイツ国特許第１９８０２９４５号明細書は、導電レールで支承されたケージスプリングを有する電気端子を開示している。端子脚部の窓切欠き上縁では材料ラグが外方に湾曲され、材料ラグは操作工具先端のための案内ラグをなす。クランプスプリングの当接脚部の延在方向に操作工具であるスクリュドライバを挿入した場合に工具の先端は材料ラグに衝突し、これにより、クランプばねのクランプ脚部は、柔軟な移動プロセスにより、操作工具の前進移動による力変換を改善したて状態で、クランプ箇所を開放するために下方に押圧される。工具の先端が材料ラグの端部に係合することによりレバーアームの長さが拡大される。
【先行技術文献】
【特許文献】
【０００６】
【特許文献１】ドイツ国特許出願公開第１０２００８０１７７３８号明細書
【特許文献２】ドイツ国実用新案第２０２００７００１７０１号明細書
【特許文献３】ドイツ国特許第１９８０２９４５号明細書
【発明の概要】
【発明が解決しようとする課題】
【０００７】
このような従来技術から出発した本発明の課題は、操作レバーを有する電気コネクタを改善して、小型で、できるだけ小さい操作力を必要とするものを提案することである。
【課題を解決するための手段】
【０００８】
この課題は、冒頭で述べた形式の電気コネクタにおいて、それぞれのばね端子が操作レバーを有し、操作レバーがケージスプリングにおける操作脚部のクランプ部の前方で、舌片に隣接して旋回可能に支承されており、操作時に舌片に載置するために設けた支持部を備えていることによって解決される。
【０００９】
操作レバーは、従来技術によって既知のようにクランプばねの上方に配置されない。旋回支承部は、むしろケージスプリングの前方に、操作脚部から前方に、戻り方向に湾曲したばねアーチから離れて延在する舌片に隣接して位置する。操作レバーは、支持部によって舌片に載置され、操作レバーが旋回された場合に導電レール部に向けて下方に操作部分を押圧する。舌片によってレバーアームは拡大され、これにより、必要なてこ作用が低減される。ケージスプリングの前方に舌片に隣接させて支承部を配置することは、コネクタを極めて小型に構成することができるという利点を有する。さらに、絶縁材ハウジング内で操作レバーを舌片に隣接して支承することにより操作レバーの支持ピンに対する過剰な負荷が回避される。
【００１０】
舌片が、舌片に接続し、操作脚部におけるばねアーチの方向に延在する部分と共通の平面に延在し、操作部分における窓切欠きを設けた部分がこの平面から導電レール部の方向に折り曲げられた場合、有利である。これにより、操作レバーの支持部は旋回時にひっかかることなしに舌片および舌片に接続する操作脚部の部分の支持面で連続的に転動することができる。さらに、これにより、レバーアームがばねアーチに対して最適化される。このことは、特に舌片および舌片に隣接する操作脚部の部分がばねアーチの中央領域の方向に延在している場合にもいえる。
【００１１】
さらに、操作レバーが側方に突出した支承ピンによって絶縁材ハウジングの対応した支承凹部で旋回可能に支承されている場合、有利である。これにより、操作レバーは安定的に保持され、傾動防止された状態で案内される。
【００１２】
このために、操作レバーはプラスチック材料から一体的に成形されていることが望ましい。これにより、操作レバーを安価に製造することができ、安定した構成を確保することができる。この場合、操作レバーはレバーアームと、操作レバーの操作端部領域に、レバーアームの下面によって部分的に包囲された支承軸を有している。これにより、レバーアームは支承軸に作用し、操作時にレバーアームに作用する傾動モーメントを支承軸の回転運動に最適に変換する。レバーアームの側面からは支承軸の端部が突出しており、側方に突出した支承ピンを形成している。支承軸には、レバーアームの下方に、ケージスプリングの舌片を収容するための自由空間が設けられている。自由空間の上壁は舌片のための支持部を形成している。したがって、操作レバーのてこ作用は、支承軸の領域でケージスプリングの舌片に伝達される。これにより、コネクタの支承軸および隣接する絶縁材ハウジングに作用する傾動モーメントはできるだけ小さく抑えられる。
【００１３】
舌片のための支持部は、有利には操作レバーの下面で湾曲部分に移行し、湾曲部分は、操作レバーの自由な操作端部から操作レバーにおける自由な操作端部に隣接する上面まで延在している。したがって、操作レバーを旋回させた場合に操作脚部の舌片および隣接部分は湾曲部分に最小限の摩擦力しか加えずに自由な操作端部に沿って滑動する。
【００１４】
電気コネクタは、例えば複数のばね端子を有する差込みコネクタであってもよい。この場合、それぞれのばね端子は固有の導電レールを有していてもよい。導電レールが絶縁ハウジングにおける、それぞれのばね端子に通じる導体挿入開口に向いていない側に、対向差込みコネクタのための差込み接続部を有している場合、有利である。これにより、コネクタの側から対応したばね端子に個々の導体を接続することができる。差込みコネクタにおける向かい合った側、または少なくとも１つの折り曲げられた上面／下面で対向差込みコネクタが対応した差込み接続部に嵌め込まれており、これにより、解除可能な電気接続部が形成される。差込み接続部が導体プレートのためのはんだ付け接続部として構成されていることも考えられる。
【００１５】
他の実施形態では、複数のばね端子を有する電気コネクタは、複数のばね端子を接続するための共通の導電レールを有していてもよい。この場合、共通の導体レールに、対応したばね端子のための複数の導電レール部が提供されている。この関連では、電気コネクタが２つ以上の互いに独立した導電レールを有し、これらの導電レールが対応したばね端子のためにそれぞれ１つ以上の導電レール区分を備えている変化態様も考えられる。
【図面の簡単な説明】
【００１６】
【図１】ばね端子が閉じられた電気コネクタの側方断面図である。
【図２】ばね端子が開かれ、電気導体が差し込まれた図１の電気コネクタを示す側方断面図である。
【図３】図１の電気コネクタの操作レバーを後方から見た斜視図である。
【図４】図３の操作レバーの側方斜視図である。
【図５】図２の電気コネクタを示す斜視図である。
【発明を実施するための形態】
【００１７】
図１は、絶縁材ハウジング２を有する電気コネクタ１を示す。絶縁材ハウジング２の内部には、ばね端子がそれぞれケージスプリング３および導電レール部４によって形成されている。ケージスプリング３は、既知の方式で導電レール部４に載置された当接脚部５を有し、当接脚部５にはばねアーチ６が接続している。ばねアーチ６からは操作脚部７が再び戻る方向に延びており、したがって、ケージスプリング３はこの領域ではほぼＵ字型に湾曲している。この場合、操作脚部７は導電レール部４および当接脚部５の方向に角度付けされ、この角度付け領域に窓切欠き部８を有し、窓切欠き部８を介して導電レール部４と、随意に当接脚部５の一部も貫通案内される。導電レール部４の下方では、窓切欠き部８が横方向ウェブ９によって制限されており、横方向ウェブ９は、横方向ウェブ９と導電レール部４との間で電気導体をクランプするためのクランプ箇所を形成している。
【００１８】
電気導体の載置面ができるだけ最小限となるように電気導体を導電レール部４にできるだけ点状に当接させるために、導電レール部４に隆起部１０が設けられており、この隆起部１０は非クランプ状態で横方向ウェブ９に隣接している。したがって、ケージスプリング３のクランプ力は、隆起部１０に集中し、これにより高い面圧が得られる。
【００１９】
電気導体は、絶縁材ハウジング２の前面の導体挿入開口１１を通って絶縁材ハウジング２に挿入され、導電レール部４の下方を案内され、導電レール部４と横方向ウェブ９との間に位置決めされる。
【００２０】
このような電気導体をクランプすることができるように、ケージスプリング３をまず一度操作する必要があり、この場合に操作脚部７の上部が導電レール部４および当接脚部５に向けて下方に押圧される。このためには、支承軸１３の支承ピンによって絶縁材ハウジング２の内部で旋回可能に支承されている操作レバー１２が働く。
【００２１】
操作レバー１２はレバーアーム１４を有し、使用者は操作レバー１２を旋回させるためにレバーアーム１４の自由端部１５を把持することができる。レバーアームの下方で自由端部１５と向かい合った状態で支承軸１３はレバーアーム１４と一体的に成形されている。操作レバー１２は、例えば絶縁材プラスチック材料により、このように一体的に形成されている。
【００２２】
ケージスプリング３の操作時にレバーアームを拡大するために、操作脚部７におけるばねアーチ６に接続し、導電レール部４および当接脚部５の方向に折曲げられていない部分から舌片１６が突出している。ケージスプリング３を操作のために開放した場合に操作レバー１２は、突出した舌片１６に作用し、これにより、ばねアーチ６のより近傍で、操作脚部７の折曲げ部とばねアーチ６との間の部分に操作脚部７にケージスプリング３の荷重が加えられた場合に比べて、レバーアームは、ケージスプリング３に対する操作レバー１２の作用点と、ばねアーチ６の中央領域との間で拡大される。
【００２３】
舌片１６は、操作レバー１２の自由空間１７に収容されている。この自由空間は、支承軸１３の切欠きによって形成されており、自由空間の上面は、舌片１６のための支持部１８として働く。
【００２４】
舌片１６のための支持部１８は操作レバー１２の下面で湾曲部分１９に移行し、この湾曲部分１９は、操作レバー１２の自由な操作端部から操作レバー１２の上面まで延在し、自由な操作端部に隣接している。
【００２５】
自由な操作端部は、操作レバー１２の自由端部１５に向かい合っている。
【００２６】
上記絶縁材ハウジング２は２部分から構成されている。ケージスプリング３は、導電レール部４と共に絶縁材ハウジング２の第１部分２ａに挿入される。操作レバーの挿入後に第２部分２ｂを嵌め込み、係止させることによって絶縁材ハウジング２は完成する。操作レバーの旋回支承は、第１部分２ａと第２部分２ｂとによって実施される。
【００２７】
図示の実施形態では、電気コネクタ１は差込みコネクタとして構成されている。この場合、それぞれのばね端子は固有の導電レールを有し、導電レールは、導体挿入開口１１を有するばね端子に向いていない側に、対向差込みコネクタを接続するための差込み接続部２０を有している。導電レール部４により形成された差込み接続部は、この場合、絶縁材ハウジング材料からなる案内・保護壁２１によって包囲されていてもよく、これにより、対応する対向コネクタを収容するために規定された輪郭を有するコネクタが形成される。
【００２８】
差込み接続部２０に角度を付け、上方または下方に突出させることももちろん考えられる。導電レール部４によって形成された差込み接続部２０をはんだ付けピンまたははんだ付けパッドとして構成し、コネクタを導体プレートにはんだ付けする変化態様も可能である。この場合、案内・保護壁２１は設けない。
【００２９】
絶縁材ハウジング２の目視・テスト開口２６は導体端部２２にアクセスすることを可能にし、これにより、導体端部２２が正確に、完全に差し込まれたか否かを視覚的にチェックすることができる。さらに、目視・テスト開口２６を介して電圧の印加をテストすることもできる。
【００３０】
図２は、ケージスプリング３を操作した状態の図１によるコネクタ１の側方断面図を示す。操作レバー１２が時計回りに上方に旋回されていることがわかる。いま湾曲部分１９は、操作レバー１２における自由な操作端部に隣接する上面によって、操作脚部７から突出した舌片１６に載置されている。これによりケージスプリング３は開放され、横方向ウェブ９は導体挿入開口を通って下方へ案内される。このようにして窓切欠き８を介して導電レール部４の下方で電気導体２３の絶縁端部２２を案内することができる。操作レバー１２を戻し方向に旋回させるとケージスプリング３は解放され、電気導体２３の絶縁端部２２はケージスプリング３の力によって横方向ウェブ９と導電レール部４の隆起部１０との間にクランプされる。
【００３１】
図３は、裏側から見た操作レバー１２の斜視図を示す。操作レバー１４における前方に突出した自由な端部１５に向かい合った自由な操作端部２４で、支承軸１３がレバーアーム１４と一体成形されていることがわかる。この場合、支承軸１３はレバーアーム１４の下面に配置されており、前述の自由空間１７を有している。支承軸１３は、レバーアーム１４の側面から支承ピン２５ａ，２５ｂが突出した分の長さを有し、支承ピン２５ａ，２５ｂは絶縁材ハウジング２の対応した支承凹部に入り込む。自由空間１７の上面には、舌片１６を載置するための支持部１８が配置されている。支持部１８は湾曲部分１９に移行し、湾曲部分１９は、操作レバー１２を旋回させた場合に舌片１６で転動する。
【００３２】
支承ピン２５ａ，２５ｂに凹部２７を設け、凹部によって操作レバー１２を衝突させることなしにケージスプリング３にできるだけ近くに位置決めすることができ、これにより構成スペースが節約される。
【００３３】
図４は、操作レバー１２の斜視図をもう一度示す。支承軸１３がレバーアーム１４の下側にレバーアーム１４と一体的に絶縁材プラスチック材料から成形されていることがわかる。
【００３４】
図５は、３つのばね端子を有するコネクタの斜視図を示す。電気導体２３の絶縁端部がコネクタ１の前面で導体挿入開口１１に挿入されることがわかる。操作レバー１２を上方に旋回させることによりケージスプリング３が開放され（図２参照）、これにより電気導体２３をばね端子に挿入し、そこでクランプすることができる。
【００３５】
導体挿入開口１１を有するばね端子に向かい合って、対向差込みコネクタを差し込むための差込み接続領域が設けられている。このために、絶縁ハウジングのこの領域には、対向差込みコネクタに適合した輪郭を備えた対応する案内・保護壁２１が形成されている。
【符号の説明】
【００３６】
１  電気コネクタ
２  絶縁材ハウジング
２ａ  第１部分
２ｂ  第２部分
３  ケージスプリング
４  導体レール部
５  当接脚部
６  ばねアーチ
７  操作脚部
８  窓切欠き部
９  横方向ウェブ
１０  隆起部
１１  導体挿入開口
１２  操作レバー
１３  支持軸
１４  レバーアーム
１５  自由端部
１６  舌片
１７  自由空間
１８  支持部
１９  湾曲部分
２０  差込み接続部
２１  案内・保護壁
２２  導体端部
２３  電気導体
２４  操作端部
２５ａ，２５ｂ  支承ピン
２６  目視・テスト開口
２７  凹部
【図１】
0005806584.tif 000002
【図２】
0005806584.tif 000003
【図３】
0005806584.tif 000004
【図４】
0005806584.tif 000005
【図５】
0005806584.tif 000006